(57)【要約】【目的】廃物、物品処理において、プラスチック、合成繊維、紙、生ゴミ等の物品、廃品、書類、カード廃棄処理の簡単、安全な加圧破砕、加熱減容、脱水乾燥。再利用、廃物成型、ゴミ燃料、農林園芸用マット、コンポスト代替品とする。【構成】加圧し伝熱改善し加熱減容し又は粉砕、分別する。錘荷重、ウインチ、ロール、滑車、錘動力、ハンドルを利用してロープ巻取り機構で加圧面を移動し又は手動で小型簡易化する。投入口開時に加圧面を開閉蓋に引上げ、又は蝶番型では投入口に交差方向に移動して掃引加圧する。再利用用途によって６０乃至２５０℃の範囲で選択し変質防止しつつ又は乾留に至らない脆化温度で竪乃至横の加熱加圧室で減容、成型し又は処理する。【選択図】　図１
2004050160.tif 000002
【特許請求の範囲】
【請求項１】
チェーンブロック、ウインチ又はラチエット付きハンドルとロール或いはプリー、加圧面の真空引き、から選ばれた手段で真空ポンプ、電動機、手動．又は錘で駆動して加圧面又は加熱加圧面を移動し、又は加圧用錘吊り上げに使用し張力系にバネを使用し又は使用しない廃物の加熱加圧減容、熱処理又は乾燥方法。
【請求項２】
加圧室内又は室内側面を通る可撓線状物または棒状物で加圧面を引張って移動し滑車或は滑り面を使用し、又は使用しない請求項１記載の廃物の加熱加圧、熱処理又は乾燥方法。
【請求項３】
フィン又は突起伝熱促進面を有する上又は下の加圧面の往復、上下、往復回転、回転作用とを併用する付着性物又は生ゴミの加熱又は乾燥法。
【請求項４】
廃熱であってもよい熱風、輻射又は電気加熱板の片側又は両側に有孔板を置いて空間を設け、有孔板の外側にスペーサ構造を挟んで、複数であってもよい孔あき断熱用フイルム、熱線反射蒸着フイルム、孔あき発泡プラスチックシート又は箔であってもよい金属薄板から選ばれた仕切りを設け、更に外装板又は熱回収器を兼ねてもよい外側の冷却面又は別置きの冷却面を設けて、気化した水蒸気を冷却面に凝縮させて乾燥する生ゴミまたは含水物乾燥法。
【請求項５】
加熱部と冷却面間に連続又は間欠的に気流を自然対流又は強制循環する請求項４記載の生ゴミまたは含水物乾燥法。
【請求項６】
２枚の加熱圧縮板内面に伝熱面を兼ねた破砕又は伝熱用突起を設け、生ゴミまたは泥状物を投入し突起間に相対運動を与えて加熱軟化破砕する生ゴミ圧縮脱水又は乾燥装置。
【請求項７】
竪或は横の回転体面又は少なくとも一部が回転体面の胴である面で構成する内壁を有する加圧室と加圧室内壁を掃引する加圧又は加圧加熱面と、回転面の軸の周囲に回転又は往復回転する固定面又は移動面の間に廃物又は被処理物を入れて回転中心軸周囲に回転又は往復回転する単数又は複数の回転板又は格子を設け、回転板又は回転格子の間で廃物を圧縮する廃物の圧縮、圧縮脱水、圧縮加熱減容又は乾燥法。
【請求項８】
加圧室壁或は回転板又は回転格子が伝熱面である請求項７記載の廃物の圧縮減容又は乾燥法。
【請求項９】
中心軸を回転し又は周縁に設けた駆動歯車、プリー、ロープ又はベルトで回転板又は回転格子を駆動する請求項７又は８記載の廃物を圧縮又は移動する廃物の圧縮、撹拌、乾燥又は熱処理装置。
【請求項１０】
ＰＰバンド廃物を加熱圧縮室堆積に重ねて詰め込み加熱して溶かすことなくバンド表面を相互に圧縮融着した板状又は塊状成型物。
【請求項１１】
生ゴミ、紙屑、廃材、廃材チップ、間伐材、枝葉から選ばれた材料又は混合物を乾燥温度と乾留温度との中間温度で、不活性雰囲気乃至空気雰囲気中で脆化させ又は脆化に次いで同一装置又は別の破砕機で砕片又は粉粒とする圧縮減容又は乾燥法。
【請求項１２】
生ゴミ、紙屑、廃材、廃材チップ、間伐材、枝葉から選ばれた材料又は混合物を乾燥温度と乾留温度との中間温度で、不活性雰囲気乃至空気雰囲気中で加熱脆化させ次いで同一装置又は別の装置で圧縮圧縮減容し或いは破砕機で砕片又は粉粒とした後に、貯蔵容器、粉体輸送管路、粉体輸送車、運搬容器から選ばれた１つ又は組み合わせ輸送手段で収集し埋立、成型材料、土壌代替材或いは土壌改良材とし、又は燃料又は炭素性原材料とする処理法。
【請求項１３】
円筒、３角乃至多角筒、樽又は鼓型縦断面の廃物容器、屑篭にセットした布、網、プラスチック、又は紙袋にゴミと脱気用の多孔管の芯を挿入し手又は容器蓋と底に袋端を挟んでタオル絞りに巻き締め又は真空吸引して袋口を閉じて減容し、加圧加熱装置に入れ、または入れずに圧縮加熱減容又は乾燥する廃物処理の方法。
【請求項１４】
比較的温度制御精度が低い加熱面であるホットプレート又は伝熱面と加熱すべき廃物の間に面発熱体又はホットプレート面を実質的に覆う加熱面と加熱面の温度検出素子とからなる温度測定要素を配置した温度制御法。
【請求項１５】
廃物容器投入口にアタチメント或いは格子状であってもでもよい漏斗状部分又は鍔を設けプラスチック又は紙の袋状容器であってもよいフイルム又はシートで廃物を包み込み投入口又は筒状部口に置いて廃物を加圧または加圧加熱室に吸引して収容し、続いて加圧面を置きまたは置かない廃物の容器又は処理室への収納方法。
【請求項１６】
空の廃物容器又は廃物を収容している廃物容器口に袋又はフイルムを装着し、吸引して減容収容し押し込み面と廃物収納容器を兼ね投入口から押し込み、加圧加熱して減容する廃物の包装方法。
【請求項１７】
移動する加圧面又は加熱加圧面と加熱加圧室と外装箱内又は外に配置した巻き取りロール、Ｖプリー又は滑車からなる廃物の圧縮減容装置。
【請求項１８】
断熱した屑容器の耐熱性の加熱室底に錘又は錘を兼ねた加熱板を置き、錘の上に袋を置き、廃プラスチック又は紙屑を投入し、又は袋入り廃プラスチックを投入し電熱板を付けまたは付けない蓋をして転倒して加熱圧縮し圧縮後に累積又は累積せずに取り出す廃物の加熱加圧減容、熱処理又は乾燥方法。
【請求項１９】
底に加熱板を備えた加熱加圧装置に、乾燥又は薫製用箱を差しこみ、木片を置き発煙温度に加熱して発生煙雰囲気で食品を温蔵、薫製又は乾燥する方法。
【請求項２０】
伝熱面に連結した平行又はジグザグ配置した複数のフィン伝熱板とこの伝熱板間に差し込む複数の平行フィン伝熱板又は剣山様フィンを噛み合わせ面を移動又は緩い振動をして生ゴミ、粉粒、泥土又は紙の加熱又は乾燥方法
【請求項２１】
対向する伝熱面がエンボス加工面であり生ゴミ、粉粒、泥土又は紙を挟み乾燥し又は有機物の引火危険温度２６０℃付近に達しない温度で加熱部分分解する方法。
【請求項２２】
加熱面又は押し込み或いは排出面がシャッター、羽根又はスクリューから選ばれたものであり、背圧を蓋でかけ、又はかけることなく回転又は軸方向移動によって紙屑、廃プラスチック、生ゴミ、バイオマス、木質チップ、枝葉、から選ばれた廃物を押込み加熱面に押しつけて圧縮又は乾燥する減容方法。
【請求項２３】
被処理物を弾性枠、バネ、鎖状又は金属格子から選ばれた熱伝導性金属とともに加熱面付近に置き加熱面に押しつけて加圧加熱乾燥し次に被処理物を分離する加圧加熱乾燥方法。
【発明の詳細な説明】
【０００１】
【産業上の利用分野】
本発明は家庭又は業務で発生する廃プラスチック、紙屑、生ゴミ、食品加工廃物、廃建材、農林未利用資源等の乾燥、殺菌、脱臭、清潔化、等の減容集積、廃熱回収、収集運搬の合理的低コスト化で経済的再利用・資源化に適した技術で、同時に鳥獣害防止とゴミ問題解決、事務書類、カード処理用にも適する。
【０００２】
【従来の技術】
従来の家庭、事業ゴミ、臭気等の環境対策は大気拡散と、嵩高不潔なゴミの収集が基本構造であり合理的環境システムの進歩を直接間接に阻害し労力、エネルギー多消費、コスト高であった。分別収集の他は殺菌減容しての収集はなく、将来の労働力、資源不足対応システムはなく炭酸ガス問題の実質的経済的解決もできなかった。生ゴミコンポスト化又は乾燥減量は臭気発生、焦げによる用途限定、電力多消費で、コンポストは引取り先がなく、廃プラスチックや紙屑再利用とともに問題であった。機密書類、カード裁断屑は嵩高で、焼却、溶解パルプ化、用途開拓が必要であった。ゴミ処理の従来法では小型化が難かしかった。消臭において化学分解、包摂化合物化、マスキング等は予防対策ではなかった。廃熱を回収利用する家庭電器はなかった。有機廃物を炭化前段階の半炭化熱処理をして脆化して粉砕と排気処理と後処理を容易にする技術はなかった。
【０００３】
【発明が解決しようとする課題】
家庭、事業所とも環境への臭気、有害物、炭酸ガスを発生前、拡散前に抑制し、含水ゴミは殺菌、乾燥し、廃プラスチックは溶融しないで減容する。紙屑の減容機も清潔、再利用のために装置操作を小型簡易化、低コスト化する必要があった。加圧乾燥減容機を小型兼用化低コスト化して普及し稼働率を高める必要があった。電力、化石燃料による家庭用生ゴミ乾燥減容はコスト高で炭酸ガス問題もあった。嵩高ゴミは輸送車両燃料、加工用燃料を余計に消費し、廃棄用プラスチック袋も余分に消費している。問題解決にはゴミ減容、再利用、雑可燃ゴミ燃料化による回収用袋節約かつエネルギとしての回収、利便性と効率化のため廃プラスチック、紙屑、生ゴミ等の嵩高ゴミを混合ゴミにせず、小型減容装置に簡単に入れる方法、生ゴミ利用の障害である異物混入防止，しかも事後選別の余地を残すこと、排気処理、腐敗臭、塩分混入防止、簡便強力な圧縮法が必要であった。廃材、小枝等のバイオマス、廃棄書類、カードの小型簡便な無効化処理、破砕と原材料、エネルギー化が必要であった。
【０００４】
【問題を解決するための手段】
発明者らの先の発明で加圧加熱機構小型化、紙屑、廃プラスチック、生ゴミ等のゴミ処理機を提案した。本発明は更に改良多用途化する。食品加工廃物、茶殻、コーヒー滓嵩高、高水分で熱伝導が悪いゴミも伝熱面を介し容易に加熱乾燥して排気量を減じ排気処理も小型化し廃物の発生源での減容、輸送、後処理、炭化、コンポス化も容易にした。乾燥電熱、燃料燃焼熱、排気熱等を加熱面に与え、或いは廃物等を加熱面に押し付けつつ圧縮、バネを利用する圧縮、廃熱又は別の加熱系での廃プラスチック、活性炭等の加熱再生（特許第２７２７４５２、特願昭６３−３７７５９）、上または下にある融着温度未満の加熱面に廃プラスチツク、紙を押しつけ圧縮するもの（特願平３−２８７４０３）、便利な出し入れ容器、加圧加熱操作の簡便化（特願平１１−２３８７５４）、廃熱、物体の熱容量を利用（特願平１１−３１５７８７）、特願平１１−２３７３６４、特願平１１−２５３４０２、特願２００１−１３０３２３、２８０７１３、４０２３４４、及び必要により「廃物収集利用法とビジネスモデル（平１３年特願）等と本発明の選択、組合により一層の省エネ、コンパクト低コスト化、安全への適合ができる。
【０００５】例えば圧縮に回転、往復回転、機械的強度、組立てに悪影響を与えない程度の間欠又は連続の低周期振動を加えて被処理物のブリッジ形成を破壊して圧縮率を改善し、生ゴミ、紙質では加えて加熱脆化し或いは煮て軟化させ比較的弱い力でも破砕し、伝熱面との接触を改善し、振動での緩みを交互に与えて乾燥促進できる。手動であってもよい回転と振動は中心軸設置により安定する。回転運動は間欠でもよい。従い電動の他、錘、バネによる駆動、引上げ下げの綱による駆動もできる。手動も容易で長い加圧面移動行程、出し入れ手段選択と伝熱面積の大幅増大により、比較的低温度、６０乃至１８０℃で、廃プラスチック、紙屑減容は比較的短時間、生ゴミ乃至泥状物は１分以上の殺菌加熱から時間単位の乾燥ができる。事務廃紙、粗廃材、間伐材、バイオマス等は５分乃至１日の単位で１６０乃至木質引火危険の２６０℃未満の低度熱分解で褐色化乃至黒色脆化し引裂強度と折れ強度の低下、手揉み粉砕で判定する。撹拌、磨砕、圧潰による細片化又は粉粒化可能にし粉粒輸送化、ダストシュート収集を清潔容易にできる。低温乾留炭と異なり粉化抵抗性があり、濾過、集塵容易になる。多機能な加圧加熱装置は撹拌翼、フィを付けて減容と同一装置で小片粉粒化できる。加熱には熱風吹込でなく伝熱面加熱により被処理物を加熱軟化、又は脆化変形減容し又は、粉砕減容し加熱制御で分解ガス、煙発生は少量で排気循環処理程度で足りる。温度調節系利用で食品乾燥や木質の煙発生で薫製も容易になり多機能化できる。殺菌乾燥温度６０℃以上の断続排気熱の利用は、廃熱と燃料、電力ヒーターの切替えで可能になった。特に生ゴミ、泥乾燥に有用である。蒸発面と近接凝縮面間に多孔壁、好ましくは輻射熱反射断熱幕設置、廃熱とヒーター共存の熱源選択で廃熱利用できた。但し併用に限定するものではない。本発明の廃物再利用の減容操作で伝熱面温度域制御では品質劣化防止が容易である。類似温度域及び炭化温度未満の酸化雰囲気での炭素の酸化脱離処理を発明者の先の発明で提案した（特願２００１−４０２３４４）。熱硬化性プラスチック、化学架橋又は物理架橋汎用ゴムも１５０℃付近で軟化し急冷し脆化粉砕可能になる。嵩高の分散相廃物は小型の加圧室の小さい装入口から効率よく装入し低圧利便化できる。装入口に漏斗作用を持つ縁を付け、好ましくはフッソ樹脂等の低摩擦樹脂ライニング、塗装、固体又は液体潤滑剤塗布、鏡面加工等で摩擦を減じる平滑化、流線化、低摩擦面、誘導格子加工ができる。そして嵩高のゴミ、廃物を真空又は減圧吸引して減容機に装入でき、仕切板を挿入し又は挿入せずに廃物又は袋、シートを累加加熱加圧減容できる。真空掃除機、手動又自動吸引ポンプ、水流ポンプが使える。
【０００６】ロール、滑車、ベアリング、方向変換のベアリングと、ロープ或いはチェーン、歯車による増力、増減速を組み合わせて小空間で小型簡易に高圧を得ることができた。被処理物は少量ずつの加熱圧縮によって減容は加熱時間を最短１乃至５分程度に短縮し、少量短時間処理と累積によって結果的に発生源で大量処理を可能にする。これらの選択、又は組み合わせによって小型、低コスト化する。生ゴミ乾燥には圧縮、弛緩又は圧縮と撹拌の併用の選択で伝熱係数を増加して減容する。圧縮初期温度は６０乃至１００℃でよく、圧縮終期に１００乃至１７０℃として有機物は分解抑制できる。比較的低温では比較的高圧を、高温では逆に低圧でよい。予熱段階では６０℃程度以上２００℃程度以下の低温廃熱例えば冷暖房、厨房機器、温水器、浴用機、ボイラー、燃焼炉、内燃機関、ガスタービン排気又は混合排気廃熱を経済的に利用できる。加熱殺菌で腐敗を防止し常温以上で乾燥できる。受熱フィン、充填物、サーモパイプも使用できる
【０００７】軟化変形温度において、０．０１乃至１０ｋｇ／ｃｍ２程度の圧を加えることができる。特に０．０１乃至１ｋｇ／ｃｍ２程度の比較的低圧で圧縮して嵩比重０．０５乃至０．１５の廃プラスチックを０．１５乃至０．６程度に１／２乃至１／３０に減容できる。部分的に焼結したり溶融しても差し支えない。減容後に解砕も追加加熱減容もできる。紙屑加熱減容は分解開始温度に相当する１６０℃以下が再生利用には適当である。紙、木質、廃材、間伐材の破砕減容、事務の機密書類の記録の発生源における消去には、活発な分解開始と自己発熱、引火危険温度２６０℃とされているので２６０℃未満、１６０℃以上特に１８０℃以上の炭化過程前段階で２０分乃至５時間程度以上加熱して脆化して手揉みで粉砕、又は解砕できる。紙屑の種類、加工、汚損の程度により実験によって加熱温度と加熱時間、圧或いは錘荷重、バネ強度・長さを決める。生ゴミは６０℃以上１００℃前後で加熱殺菌できる。即ち乾燥、予熱は１４０℃以下、紙、木質は１６０℃付近以下特に１２０℃以下で分解しない熱風吹込みを許容する。少量排気の循環処理併用は乾燥を容易にし臭気漏れ防止になる。ダイオキシン対策では、低酸素乃至還元雰囲気で加熱分解し又は再処理できる（玉坤　安全工学３２巻１１頁参考）。このために上記の廃プラスチック、紙屑減容機を高温で利用して多機能化に寄与し、しかも２５０℃付近以下の廃熱利用を可能にする。
本発明では断熱した小型装置は勿論、ドラム缶、比較的大型のタンク或いはサイロを利用して乾燥、脆化処理に使える。構築材料は安価な赤煉瓦級の煉瓦、鋼板、亜鉛鋼板内張り、ガラスウール、岩棉、セメントブロック、コンクリート等でもよい。脆化破砕物は有機質でフミン質化し多孔質で追加加熱脱臭し又は脱臭せずにコンポスト代替用途に使用できる。２００℃前後の脆化した多孔質有機フミン様物質は炭素と異なり微生物分解できる特徴がある。
【０００８】加圧源、撹拌動力源としての手動、機械力による錘の上げ下げは応力緩和を利用する時間をかけた減容を容易にする。生ゴミ乾燥では全く熱風吹き込みをせず排気処理を小型高度浄化する加熱熱源の低コスト化のため特に生ゴミは調理又は加工直後の腐敗開始前に脱水又は加熱殺菌し比較的低温で常温付近乃至比較的低温の気流、気温、風で間接表面接触乾燥するのがよい。屑、廃棄物処理では、その形態、質が多様で、圧縮率が大きい大幅減容で５分の１乃至３０分の１にする機器の小型化、簡易化の困難があった。圧縮用移動伝熱面の開閉機構、投入操作、農林、園芸の小枝処理、書類消滅を簡便に、分散小型装置で発生源で資源再生を考慮した種類別処理技術の経済化は難しいものとされていた。新熱源、廃熱利用の時には断熱をきかせて遅いが継続的加圧、加熱又は低温酸化により降伏変形又は化学構造的に解離して変形させて圧縮するのが有利である。本発明はこの現象を極度に利用する者である。また、少量ずつ加熱圧縮すると紙、プラスチック或は生ゴミでも圧縮は容易で圧縮率、乾燥の加速可能であるが分かった。少量ずつ発生ごとに加熱圧縮、乾燥するには簡易かつ強い圧縮力が好ましい。圧縮初期の圧縮力は小で０．０１乃至０．１ｋｇ／ｃｍ２、終期には０．１乃至２ｋｇ／ｃｍ２程度が好ましいが、軟化温度付近では０．１ｋｇ／ｃｍ２程度でもよい。被処理物であるゴミ、再生用材料、ゴミ燃料材料は嵩比重０．０１乃至０．１の程度が多くこれを０．１乃至０．８に圧縮し、３分の１乃至３０分の１程度に減容できる。間接加熱、または間接加熱を主とするので、過熱による熱分解や酸化分解による悪臭の発生は少なく、排気は少量であるから必要によって活性炭、炭等の吸着剤層、触媒層を通して無臭で圧縮減容し資源化できる。
【０００９】加圧用錘は小型装置では５乃至２００ｋｇであり、大型設備ではロール能力、汎用チェーンプロック利用時の能力により１０００ｋｇ又はそれ以上を利用できる。錘上下の手動の力能力自動の場合又は動力兼用の場合、電動機出力、生ゴミの場合には錘動力による撹拌、廃熱熱源温度を考慮して組み立て後にも実験によって容易に決めることができる。塩ビ、ポリエチレン、ポリプロピレンフイルム、シートは嵩比重０．０５乃至０．１の程度が多いが５乃至２０ｍｍ、１ｍ角程度の薄板状に成型し暖かいうちにさらに折り畳んでブロック（嵩比重０．３乃至程０．６程度）に容易に再成型して集積費と輸送費を下げて燃料化、成型材料化できる。家庭電器としては日常家事作業は比較的低温低圧縮率条件で簡単に減容し、減容品がたまったら同じ装置で加熱面を型にして比較的高温、高圧で再圧縮成型ブロックを例えば５０ｍｍ角のサイコロ状に加工してもよい。従来使用を避ける傾向の塩ビは低温減容により劣化が少なくなり再利用に適する。劣化した塩ビシートは熱分解して塩酸、炭素を回収できる。収集輸送費低下により塩酸コストは安くなり焼却灰からの有価金属回収に利用できる。
【００１０】ゴミ、廃物は袋入り、バラ、成型ゴミ、半成型ゴミの形で取り出し容器に入れ、またはバラで圧縮室に投入し又は詰め込むことができる。真空吸引は詰め込みを容易にする。廃プラスチックフイルム、シート状の紙屑、或は紙屑、生ゴミをプラスチックフイルム袋、紙袋等に入れて（１）加圧面又は錘の移動を蓋構造により容易にし、錘荷重の簡易化、加圧面のロープによる引張り機構等による装置小型化と低コスト加圧、（２）高圧縮比機構をロープ等の引っ張り巻き取り機構で小型化、（３）蓋開閉操作と錘の操作簡易化、（４）圧縮力にウインチに例示できるロールと歯車、梃子原理によるベルト、ロープ、チェーン操作等による錘上下、加圧板の移動、（５）従来噛み込み必至と思われていたゴミ室内に鞘、溝、ガイドを設けてロープを収納しゴミ噛み込み防止排除機構、（６）最初低圧で終期高圧の加圧で効率化、（７）筒型の圧縮室内に回転圧縮面の回転軸を設け、移動圧縮面間又は移動圧縮面と固定加熱面間で被処理物を圧縮する機構により圧縮操作と圧縮面の容易な更新、（８）これらにより少量ずつ効率よく圧縮すること、（９）ウインチは汎用のブラインド、スポーツ用網展張用小型ウインチも使用できるできることがわかり、回転型圧縮面の駆動力に筒型圧縮室の周方向にロープ、ベルトを回してロール、Ｖプリ又は歯車系による駆動、（１０）ウインチは駆動端、従動端の切替えによって同一物を増速用に切替え使用による、圧縮初期の圧縮高速化、低速高圧化、濡れた生ゴミの遠心脱水にも利用でき機器の多機能化に有用である。（１１）圧縮板を軸の周囲に回転して固定又は回転加熱板に押しつける場合に、中心軸をハンドル、又は取手で動かすか、ロールとロープ（或はベルト、歯形ベルト）を利用して駆動し又はウインチのように歯車増減速を利用すること。これらからのの選択又は組み合わせにより装置小型化、操作の簡易利便性の向上、効率的高圧縮、経済化を可能にした。
【００１１】小型電動機、或いは人力による錘の位置エネルギーを駆動平準化も利用できる。人力と動力の切替え機構が便利である。２０乃至５０ｋｇｆ程度の一時的な強い力は小型減容機器では人力が有利である。２分の１乃至３０分の１程度の高圧縮の駆動力として、手動或いは電動小型ウインチ、梃子併用の回転巻き取り具、滑車が適している。業務用としてはチェーンブロック、レバーブロック、巻き締め機器を使用できる。線状物である金属或いは有機、無機の繊維、糸、鎖、紐、テープ、コイル、キャタピラー、棒加圧面又は加熱加圧面の移動に使用高揚程或いは長いピストン行程を容易に実現して廃物の高圧縮減容を低コストで達成する。追加の歯車、滑車、潤滑面、ベアリング、プリー等と併用して増力、方向変換して機器に取り付け、一層便利になる。ウインチで限度まで圧縮の後に回転胴の差し込み穴に梃子を差し込んで巻き取りプリー（換言すればロクロ）として圧縮力を追加もできる。軸、ベアリング、支持台を強化することが条件になる。錘は生ゴミ乾燥機の撹拌動力にも使える。圧縮面、枠、又はピストン等を引っ張り錘を吊り上げて圧縮面等の上に於いて重石とすることもできる。引っ張りを綱、紐、線材、テープ、ワイヤロープ、綱、柔軟性の紐状金属テープ、鎖、バネあるいはそれらの複合物（以下、綱と総称するいう）では巻き取ることができて、揚程、行程が長く、必要により滑車、歯車を組合せて方向変換、ループ構成が自由で減容機器の小型化ができる。金属繊維、ＰＥＴ等比較的耐熱性の高分子の紐或いは金属繊維を複合した紐、テープ等を使用できる。
【００１２】巻取ロール、Ｖプリであってもよい滑車、ベアリング機能は半径１０乃至１００ｍｍ程度が適当である。回転用取手は回転直径１０乃至４００ｍｍ程度にし必要により延長繰り出し又は継手を利用することができる。このような条件では梃子の原理で１０乃至１０００ｋｇの錘を容易に上下でき、２００ｍｍ径に対する面圧は３ｋｇ／ｃｍ２程度に達し１７０℃以下での廃物圧縮を容易にする。また、滑車等の利用により、引張力を直接加圧面移動に使える。ロール径５０ｍｍの手動小型ウインチで１乃至４回（限定しない）の回転で１５０乃至６００ｍｍ加熱面や錘を上下又は水平移動しで圧縮減容や加熱圧縮減容或いは破砕ができる。ロールには逆転防止用の爪と歯或いはラチエット歯車装置により巻き取りと停止をするのが便利である。家庭用或いは小型業務用の廃物圧縮に種々のジャッキ、ネジ、油圧シリンダ等を使用する例はあるが、錘の上下にウインチ等の巻取機構、滑車、チェーンブロック、歯形ベルト等を使用して圧縮装置簡易、小型化する例はない。発明者は先の発明（特願２００１−４０２３４４）においてチェーンブロック、滑車等を使用することも述べた。これらはは大型機械用或いは工事用、工場作業が主とされ、家庭用小型のゴミプレス機械の圧縮減容に利用する発想もなかった。引張力を利用する場合、加圧室内１本以上の綱（ロープ）特に好ましくは１乃至４本を加圧室内の壁又は内部に設けることができ、裸又は保護管、或いは保護線、柱を添えて被圧縮物の噛込み、付着を防止し、綱、圧縮面移動を円滑化する。複数の綱では均一に引張り、１本の綱でも加圧面の重心又は加圧面のガイド、綱のガイド等により姿勢を保持する。
【００１３】ロールは直接巻取り若しくはロール、滑車による力方向の転換により設備の上、下又は側面等任意の位置にロールを設けることができる。
複数のロールを設けてもよい。ロール径を選択し差替える構造、２倍程度以上の径違いロールを隣接して設けること。回転用腕長を変えて、加える力を調節すること。ロープをループ状に取付けること。取手の腕の代りにハンドルとすること。梃子又はラチエットレンチ、増速、減速機構を付加すること動力を付けることができる。遊動滑車は加圧面の偏心防止、錘加重、引張り力増加に有用である。加圧面は上方へ移動して上面蓋との間に被処理物を挟んで圧縮すること。下方への移動と底面間での圧縮。２面とも移動可能とすること。両面又は片面を加熱面とすることができる。廃物の高圧縮減容の効率化は機械化、手動、手動又は電動機能、錘動力を併置し任意に選択してエネルギー節減、利便性兼用健康機器になる。
【００１４】構成材料として加圧加熱室或いは加圧室は室材質は内壁、屑容器、篭容器ともアルミニウム、マグネシウム、チタン、銅、鉄鋼、ステンレス鋼、それらの合金、メッキ、ライニング、煉瓦、陶器、セラミック、ガラス、ブロック、普通セメント、耐熱セメント、それらの複合物、金属の表面不銹加工、フッソ樹脂、離型材、黒鉛構造固体潤滑材、不粘着加工等公知材質から選ぶことができる。加熱加圧室は筒型、箱型で断面は円、３角乃至多角形で縦乃至横型でよい。比較的大型の加熱加圧室の小型乃至大型の可搬式組立て設備もできる。壁材料は１１０℃付近でも操作できるので、簡易設備、仮設備も可能で加圧加熱室の壁支持材は木材廃材、間伐材丸太、型枠、板材等で組み、内壁材は鋼板、セメントブロック、時には木材又は鉄の格子等でよい。断熱材は発泡体、フイルム、多穴フイルム、ガラスウール、廃繊維、再生品を使用できる。錘上下、締め付け圧縮にはクレーン、ユニーク車、三又とチェーンブロック、或いはウインチを使える。熱源は家庭、事業所、災害地、過疎地、観光地、農地等、通常熱源の他、廃熱、エンジン排気のフアン吸排気により温度測定して使用できる特徴がある。
【００１５】生ゴミを脱水乾燥し選別の後有機原材料、コンポスト、ゴミ燃料となり、乾燥熱源は家庭、事業所廃熱利用ができる。板型伝熱面と面撹拌、破砕と加圧を組合せ、可動伝熱板により構成されている破砕乾燥室に生ゴミを入れて上から加圧板で圧縮脱水し又は開いた加圧伝熱面を閉じて圧縮脱水し、刃破砕と撹拌乾燥を兼ねて回転、往復回転で従来と異なり低速、間欠又は連続の電動、錘動力又は手動できる。伝熱面加熱は廃熱、電熱、ガス、灯油、炭素性燃料等による。破砕刃は公知の種々の形状、材質の他、鋼、不銹鋼製ネジを利用できる。
【００１６】図１は錘７で加重をかける加熱加圧減容機１である。加圧加熱圧縮室３０は断熱材１５、外壁１６、室底ヒータ部１８、上ヒータ部３９に包囲されている。側壁１２は加熱面であっても保温加熱面或いは断熱面であってもよい。また金属、セラミック製であってもよい。袋３３入りでもよい廃プラスチック、生ゴミ、紙屑等の廃物又は被処理物（以下同じ）１４を裸又は取り外し自在の網、格子製屑籠等の取出し用容器１３或は１３に内挿した袋、袋網３３（図１では袋口を閉じている）に入れ、金属内壁１２を有する加圧室３０に横蓋２７（図３）を開けて横から装入し横蓋２７を閉じる。ロール３の逆転防止機構（爪）を外してロールを逆転してロープ２６を緩め、支持具２５で支持している力方向変換用滑車６又は例えばＶプリーを４分割した方向変換の潤滑溝ベアリング６を介して圧縮用錘７を廃物１４にのせて、制御電源２２を入れ、下降する上面加熱面１１で、取出し用容器１３の多孔板底１７を介し底加熱面１８に押しつけて加熱圧縮する。温度条件と被処理物の種類、形状により５分乃至１２０分程度（それ以上でもよい）かけることにより圧縮減容する。上面加熱面１１、底加熱面１８にはそれぞれヒータ９、２０、温度制御用センサー又は過熱防止用電気接点１０、１９を装備して過熱を防止する。加熱室、加熱面内面、取り出し容器は非粘着加工、離型剤、油剤、潤滑剤を塗布してプラスチック袋、廃プラスチック、汚物の粘着、焼付防止ができる。ヒータは反射板又は断熱材料３２で外側を断熱している。比較的低温又は高軟化温度のプラスチックは処理に長時間を要する。濡れた紙屑、生ゴミは加圧脱水して加熱乾燥減容するのがよい。
【００１７】ロール３は回転腕４、取手５で回転でき直接ロールを回転し又は中間歯車を介してロールを駆動する。回転腕４はハンドル或いは動力伝達用歯車付きハンドルであってもよく、電動機駆動してもよい。減容程度はロール３の回転角度、回転数、吊り下げロープ又は鎖等２６の目印で判断できる。目的減容率に達したら、電源を切り、図３のように外蓋２７を外側に倒して開けて、容器１３とともに廃物を取り出して冷却し、次の容器入り廃物を装入し１サイクル終了する。再生に適した成型物、単味固形燃料或いは乾燥生ゴミ、両者の配合物等が得られる。型を使うとガス化燃焼に適した固形燃料小ブロックに成型できる。包装用ＰＰテープ廃物では剛性と高耐熱で従来減容困難であったが減容して、無接着成型板になる。本発明のロープ巻取り方式では圧縮率を大きく取れるので加圧断面積を小にして大量の詰め込みが可能になった。制御装置上面を蓋として開閉し、錘は上げて蓋で支持し成型物は取り出し容器籠で取り出すこともできる。
【００１８】図４は上ワイヤロープ２６を、好ましくは２本以上加圧面１８に取り付け、上方に引張り加圧する装置である。加圧室内部側面又は隅にワイヤロープを配置し加圧又は加熱板を上下横移動する。下の加圧面下降には逆転防止装置を解除しロープをゆるめて自重又は錘を利用する。下方への引張り用ロープを装備してもよいし、ロール３に下方への引張り用ロープ端を連結してもよい。耐熱繊維、金属鎖を使用できる。上の加圧板を下方へ引張ることもできる。
図５は上に開く蓋２７を上に開ける装置で蓋にロールを設けている。底面加圧加熱面１８を上に移動し、上蓋２７又は固定加熱面１１の間で圧縮加熱し蓋２７を開けて成型物３０を容易に上に押出して取り出せる。錘である板７と加圧面板１１の間に断熱材１５を挟んでいる。断熱材の下に図１のようにヒータを仕込んでもよい。熱反射板３９は断熱と錘板７を引き上げた時の蓋２７を固定する。バネ３５は蓋２７を開ける時に膨張力を利かして錘７の負荷を軽減する。図６は図５の巻き取りロール３を横型に変更した平面視で方向変換滑車を使用した場合である。ロール等は上蓋の内面に納め、操作用手動取手を外に出している。慣用の小型ウインチ同様に逆転防止爪付歯車４３に取手を付け替えてロール３を駆動してもよい。図７は図６の正面視説明図である。図８は図７のロールと滑車を蓋２７の裏側に納めた断面図である。同様に装置底部にロールを設けてもよい。
ロールを駆動する取手、梃子部分に電動機、錘動力を連結でき錘は人力或いは電動機、滑車、ウインチ、チェーンブロックで加圧錘７同様に巻き上げできる。
【００１９】図９は直立円筒型装置で高さ方向の回転中心軸を持つ。この軸にに１枚以上の圧縮面１１、又は１枚以上の加熱圧縮面１８計２枚以上を回転自在に蝶番状に取付けている。投入口４０から圧縮面間に廃物１４を投入し加熱圧縮面１８に押付け加熱圧縮減容する。貯留部兼圧縮部は蓋２７を開けて汎用の屑箱同様にバラ、袋入りゴミ投入、袋差し込み、廃物投入口４０に小袋を挟むこともできる。取り外し自在の補助板４４は圧縮して板状になった廃物を１１の表面に沿って立て、１１を戻して追加の圧縮を行った後に代りの第２の補助板との差し替えができる。補助板は多孔板，格子、フォーク状でもよい。この構造は加圧加熱面１８を被処理物貯留加圧室３０内部に設けで熱損失、電力等のエネルギー消費を少なくし、しかも低温廃熱の有効利用、菌増殖の抑制温度、例えば５０乃至６０℃の一時又は常時運転を可能にした。取り扱い利便性、清潔性、圧縮能率も向上でき、冷却凝縮面を付けると同一設備で常時乾燥操作も可能になった。
図１０は図９の平面図である。加熱圧縮面１８は固定又は可動で圧縮面１１は可動である。取り出し部開閉蓋４７は保温、又は加熱機能を持つのが好ましい。開閉又は引戸を含め加熱機能を持つ加熱板部はゴミの貯留部の内板、外板部を薄板等で熱的に実質的に遮断しているのが好ましい。同じ意味で加圧板は断熱性板であるか、少なくとも片面を断熱とすのが好ましい。図１１は図１０のＡＡ断面で、取手５は軸の周回転と中心の角キーにより２枚の加圧板１１を区別して駆動する。
【００２０】図１２は図１０の横型に相当する。スライド蓋２７は同時に取出扉であり、廃物１４を軸４２を中心として動く圧縮面１１で圧縮して加熱面１８に押付け減容して図１０同様に貯留する。所定量溜まったら面１８を動かして投入口４０までせり上げ又は下面に設けることができる取出口から容易に取り出せる利点がある。図１３は横置の半円筒型加熱圧縮減容装置である。竪型にもできる。図１４は加圧室内部側面又は隅にワイヤロープを配置し加圧又は加熱板を上下又は横移動する場合で角断面の隅に面を引張るロープを配置した例である。図１５は円断面の場合である。図１６は本発明の装置の生ゴミ乾燥に適した凝縮排気脱臭装置のフローシートでである。排気量を少くできる特徴がある。慣用の機器、材質を使用できる他に使い捨てのＰＥＴ、ＰＰ等の汎用又は耐熱プラスチック材料、フイルム面、袋を単独又は伝熱面の表面被覆に張り付け又は付着させて使用し汚損したら交換できる特徴もある。水冷又は空冷の伝熱面は装置の外板であってもよい。鋼、不銹鋼、銅、チタン、プラスチック、耐食材質又はメッキ、ライニング、塗装等慣用材質、波板、プレート熱交換器、多管式熱交換器、流下膜、洗浄塔等公知のものが使える。冷却面であるから高度の耐熱は必ずし必要でない。少量の循環空気を自然循環し、又はフアン６４で送り蒸発を促進し、しかも脱臭装置４９内の活性炭等の脱臭剤の消耗を防止し同時に処理すべき排気量を少くできる。減容装置内に組込むこと、公知の連結金具で固定付置もできる。
【００２１】図１７はスライド蓋又は開閉蓋４７を有する蒲鉾状の半円筒型加熱圧縮減容装置である。加圧加熱板９、１８は片方は断熱板であってもよく、９は４２を軸として回転し室２内に投入口４０から投入した廃物廃プラスチック、紙屑、生ゴミ、ゴム屑等１４を９と１８の間に挟んで加熱圧縮する。圧縮中に開いた空間２に新しく廃物を追加投入し、追加圧縮できる。異種の廃物を圧縮方向で区別して圧縮減容できる。既に圧縮した廃物層に追加して積層圧縮できる。非溶融性を利用して袋に入れて別種の廃物を投入し積層圧縮してから種類別に分けることもできる。圧縮廃物の取り出しは台２４を上部構造と分離して取り出すのが便利である。台は断熱台とするのがあり。省エネかつ効率的で安全である。９又は１８は自体が錘であってもよく。図３５のような梃子、錘を利用しての回転出もよく、又３５図において梃子を軸両端に付けて棒状の取手を梃子の両端に渡して取手自体を錘としてもよい。扇形断面の中心角は任意にとるとができ、１７図は１８０度であるが、書類紙片の低温炭化脆化用では厚みに相当して１度程度の薄型から紙屑、廃プラスチック、生ゴミ、その他のでは１０乃至１００度でもよい。図１８は軸周囲に回転する加圧板で扇形断面に成型された廃プラスチック加熱圧縮製品の断面例である。片面は波型加圧面に型押しされているが両面とも波型であってもよいし両面平滑面であってもよい。図１９は複数個を重ねたもので、これを更に上下方向に加熱圧縮できる。包装、貯蔵、車載の方法である。図２０はガイド溝５５にロープ２６を納め加圧面１１又は１８を連結して上下乃至横に移動して廃物を圧縮する加圧面又は加圧加熱面の断面見取り図である。
図２１は装置底部に設けた真空吸引口５６から吸気して廃プラスチック入りの廃棄用袋３３を室２に吸い込む。短い漏斗６０は角をとった低摩擦面からなり側壁５２の内側に差し込んで嵩高で大断面の袋を容易に吸入する。袋が底に達すると突起５９で袋底を穿孔し袋内を吸気し上面を吸引して圧縮する。生ゴミ乾燥においては突起５９は底の伝熱面からの伝熱促進になり、複数の配置が有利である。排気処理系は図１６が適当である。袋を室２に吸引の後に上に加圧面を載せ又は図１同様の加圧構造をとってもよい。また側壁断熱壁１５は下部６１と分離可能な組み立て構造にして底部取り出し容器１３の取り出し容易な構造にできる。図２２は廃棄物袋３３を累加して圧縮減容する説明図である。加圧面５８は複数個にして下からの取り出し循環できる。図２３は室中央部に加圧面１１をロール６で巻き上げるロープ２６のガイドレール６２を設けた加圧加熱減容機である。アーム６３はスリット６１に誘導されて上下する。図４の２本以上のロープに対し、中央ロープ１本で棒６３を吊上げ、しかもガイドレールは底ヒーターからの熱伝導による加熱面としても働く。加圧は錘としての９面による。内蓋４２を加熱面１１とし、底加熱面をロープ２６で上下圧縮もできる。図２４は加熱面９とガイドレールを示す。なおロール６は底部に設けて加圧面を上下して圧縮してもよい。
【００２２】図２５、図２６はそれぞれ生ゴミ，バイオマスの乾燥、低温炭化による脆化熱処理減量に適した装置の横断図面、縦断面図である。伝熱面の室２の内部配置、水凝縮面との間に水蒸気透過用穴がある断熱用薄板、箔、フイルム又は輻射線反射蒸着フイルム７５、７６を入れて熱損失を減じいる。水分凝縮による断熱効果の低下がなく凝縮水分は流下して分離する。穴７７と７８は熱輻射線を遮蔽し熱損失防止のために位置をずらしている。ヒーター部は加熱用熱風邪魔板を設け又はヒーター２０で邪魔板を兼用して内部循環できる。邪魔板は熱風或いは熱排気は７３から入り生ゴミ１４に熱を与えて水分を蒸発させる。水蒸気は多孔壁１３の孔を通過して多孔フイルム壁７５、７６を通過し、１部凝縮し凝縮面である外壁１６で全縮し、凝縮水は管８３から排出する。自然または強制循環気は１０８、１０９から出て１０６、１０７から入る。冷却室上下間の制約された対流は生ゴミの沸点を５乃至４０℃程度下げ、廃熱の利用効率を上げる。なお水を張った容器の水面、生ゴミとも９０乃至９５℃で盛んに水分蒸発がある。真空ポンプ減圧下ではさらに低温での蒸発があることは当然である。ヒーター６９は低温廃熱、初期の腐敗防止殺菌加熱、及び乾燥熱を供給し、熱均一化邪魔板にもなる。ガス加熱、触媒燃焼加熱もできる。７０、７１は凝縮水からの熱回収用伝熱面、套、集合管で外壁１６の全面又は１部を覆う。熱は空気予熱、暖房用にしてもよい。図２７は室２内部にヒーターを設け、ゴミ加熱、乾燥層で円筒断面であるが図１同様３角、多角形筒、板状、箱状等任意である。フィン５９は１３と伝熱用ハニカムを構成している。排気、熱風等は穴７３から加熱部７４に入る。図２８は筒状又は環状の押し面１１と繋ぎ用切欠８５、破砕歯８４を持つ押し具、排気ヒーターを示す。上部から棒、押さえ１１等を差し込み錘、自動或いは手で加圧し、又は回転駆動して水分を絞り、しかも伝熱量を増加する。図２９乃至３４は加熱面１１、１８の伝熱促進又は破砕用異型表面である。撹拌のための曲り、つば、螺旋があってもよい突起、針、剣山、円周フィン、分配に有利な切欠１１０があるフィン５９、波板等の種々の組合せができ、固定、又は往復運動、回転往復回転、振動できで伝熱面積の増加、被処理物の熱伝導促進、生ゴミの破砕、加熱破砕、機密文書類紙の加熱劣化破砕廃棄の促進に便利である。回転紙等は挟んで熱劣化させ２面間で摺合せ又は回転して粉砕、或は引き裂く装置の加熱面を構成できる。駆動には公知の電動、手動機構を適用できる。例えばミキサーの回転機構、回転砥石機構等が使えるが低速でよく、繊維質の巻き付き防止には往復運動が適当である。掃除手間省略のため伝熱面、破砕チップ、針の汚染、錆の自動除去が好ましいが、針、刃、チップの一部をブラシ、タワシ等に置換すると便利である。或は掃除用の砂、鋸屑、切藁，木片をいれ若くは乾燥後撹拌し自己研磨清掃できる。図３５は直接には図９、図１０、図１１、図１２、図１３、図１７等その他の駆動ロール、滑車等の回転中心軸駆動に適した梃子、梃子部の伸縮可能のラチエットレンチである。梃子、ハンドル、錘、電動機、シリンダ駆動他、圧縮応力緩和に対して継続的に圧をかけるために加圧後に図１２のように鉤等の止め具、穴９０で固定したバネ９１を介して固定し、或いは錘を吊り下げることができる。滑車と綱を利用して方向転換してもよい。これは図１以下に示したロール、プリー、滑車の回転、張力かけ、錘上下、圧縮方向の転換にも適している。図３６は軸受１０４を芯にして上下１８０度又は斜めに転倒して錘である伝熱面又は加圧面１１、１８、７を重力で上下乃至斜め方向に移動して加熱圧縮する。錘７は電熱９で予熱し転倒時には分離するので電気的接続の問題は少い。ゴミ発生ごとに少量ずつ加熱殺菌圧縮減容し、効率的に処理、臭気防止、装置小型化ができる。圧縮した被処理物は補助容器１７で蓋２７側に保持されるので取り出しがせ容易である。図３７は枠２４を要せずに９０度転倒で錘７を被処理物に載せて圧縮する。電熱９を省略することもできる。図の右側に転倒すると錘位置は元に戻り、さらに正位置に戻して被処理物は蓋２７を開けて取り出せる。この型は図の垂直方向奥行きが長い簡易な減容機に適した構造と操作である。
機密文書等を挟んで熱劣化させ２面間で摺り合わせ又は回転して粉砕、或いは引き裂くこともできる。シュレッダーにかけたものを同様に処理してもよい。少量発生するガスは小型の活性炭、木炭脱臭剤を通せばよい。粉砕物はコンポスト又は炭素原料になる。対象物は生ゴミであってもよい。針はヘアピン、エンボス加工面突起であってもよい。図３８の減容機説明図において比較的大寸の廃プラスチックフイルム１４を台１１３と押さえ１１４の間にゆるく挟み先端を穴１１６に差し込み軸１１５を回転して撚りをかけ減容しつつロール６を回転して巻き取る。巻き取った廃フイルムは電熱カーペットで包み込んで軟化した後適宜放冷してロール６から外せる。外したものは図１等の装置で処理できる。
【作用】加熱加圧室内にバラの廃物或いは廃物入りの取出し用容器を入れ又は加熱加圧室内の取出し用容器に廃物を投入し、加圧面を移動して滑車、錘等を使用して目的、対象材料によって制御した条件で圧縮する。圧縮室に１本以上のロープガイドを設けたものは加圧面の振れを防止し装置の損傷を防ぎ、廃物成型物の形状の整合性を保てる。廃プラスチック、廃紙、生ゴミを少ない劣化で圧縮、加熱圧縮成型する。また紙書類、生コミ、剪定枝、廃材又は紙屑、木質を間接加熱温度制御しつつ加熱して圧縮減容し或いは熱劣化又はフミン化減容し、粉末燃料化、褐色、濃褐色土壌様物乃至黒色のコンポスト類似物化とする。
【００２３】
【実施例１】図１において、廃包装フイルムポリプロピレンのパン包装袋２枚直径ほぼ１９ｃｍ、厚み７ｍｍ、１２．６グラム、嵩比重０．００８を内法幅２０ｃｍ×厚み高さとも２０ｃｍの加熱圧縮室２に押し込み、加熱面温度１３５℃とし、５分間加熱軟化圧縮成型した。減容率は１／３９であった。納豆発泡ＰＳ容器３箱，７．８６グラム（９×１０×１０ｃｍ）嵩比重０．００８７を処理した。（０．３×８．５×９ｃｍ）嵩比重０．３４になり同じく１／３９に減容した。
【実施例２】図１において、廃包装フイルム・シート製品を高密度ポリエチレン袋にいれた直径ほぼ２０ｃｍ、約４リットル５０グラム、嵩比重０．０１３を内法寸法幅２０ｃｍ×厚み高さ２０ｃｍの保温した容器２、３２に押し込み、加熱面温度を１６０℃付近に調節したホットプレートにのせ、加熱軟化圧縮成型した。減容率は１／１０であった。発泡ＰＳ皿、潰したハイインパクトＰＳ乳酸飲料ビンも減容できた。単一品質の廃プラスチックは再生し又は他用途に転用できる。
【００２４】
【実施例３】図１で１３０℃、周壁保温温度１４０℃、０．１ｋｇ／ｃｍ２で加圧して、包装用塩ビシート嵩比重０．０４を加熱圧縮して０．７１にできた。同様に塩化ビニル収縮フイルムの廃包装材料（嵩比重０．１８）は最高の加熱系温度を１４０℃以下に抑制し、錘荷重６ｋｇで１２０分、加圧加熱した。溶かさ
ずに厚み５０ｍｍ、穴開き円盤状で無臭の再利用可能な塊を得た。
【実施例４】図１においてＰＰバンド嵩比重０．０４は１６０℃で上下から加熱し周壁保温温度１４０℃とし、０．１ｋｇ／ｃｍ２で加圧減容成型した。
嵩比重０．１２であった。
【実施例５】図２３において、固定型の輻射ヒーター、加熱面ヒーターと熱電対を内蔵し、温度調節計を付属するリサイクル用廃物処理装置１で内法寸法幅２０ｃｍ×厚み高さ２０ｃｍ、中心軸径４２ｍｍの容器７に押し込み、加熱面温度を１６０℃付近に調節した底加熱面又はホットプレートにのせ、加熱軟化圧縮成型した。偏心もバリもなく減容率は１／１０であった。単一質の廃プラスチックは再生又は他用途、ゴミ燃料になる。ゴム、不飽和ポリエステル片も減容できた。
【００２５】
【実施例６】温室に使用した農業用長尺ポリエチレンフイルムに１００乃至１５０℃以下の温風を吹き付けながら溶けない条件で図４に示した型の内径、高さとも４５０ｍｍ、軸径６０ｍｍ装置で軸回転しつつ巻き取り、室２に詰め込んだ後、熱風加熱し、実施例１同様に軸方向に加圧加熱減容した。堆積廃物は嵩比重０．０１５であったが６０分の加熱圧縮によって０．４と１／２５になった。圧縮物は溶融せず取り出しは取り出し容器によって容易であった。
【実施例７】塩化ビニルフイルムを実施例３同様に処理した。加熱系の最高温度は１４０℃以下で６０分を要し嵩比重は０．６になった。
【実施例８】発泡ポリスチレン皿を実施例１同様に処理した。加熱面温度は１４０℃とした。６０分で、嵩比重は０．６、１／１０に減容できた。
【実施例９】発泡ポリスチレンの納豆容器を図実施例１同様に処理した。嵩比重は１個当り０．０１１、集積して０．００５が、０．５になった。３０分処理では０．２になり減容率はそれぞれ１／１００及び１／４０であった。
【実施例１０】加熱加圧室断面がＡ５相当で厚み１０ｍｍのトースター型の加熱加圧装置に脱臭器を付けコピーした書類２枚を折り重ね２００℃、２時間加熱した。褐色化し、冷却後手で揉み印刷文字が判断できない０．１乃至１ｍｍ程度に粉砕できた。ミキサーでは１０秒で粉化できた。焼け焦げ臭は漏れなかった。砕片化、粉化物を容器でいんげん豆の水耕栽培し発芽成長させることができた。
【００２６】
【実施例１１】生ゴミを内径２０ｃｍ、深さ２０ｃｍの吸引、排気口付きの図１の装置に伝熱兼用の穿孔器５９を置き、図１６の水凝縮脱臭システムを組合せ撹拌翼を挿入し乾燥した。次に同装置で２２０℃、３時間脆化し手揉み破砕、ミキサー粉砕ともできた。生ゴミ１．５リットルを入れて乾燥した排気は無臭だった。野菜屑を含む水分８４％の生ゴミ１を圧縮脱水し７０％水分とし、次に１００℃、３０分煮て軟化し図２１装置の側面板にヒーターを付けた内法１ｃｍ厚み、１５ｃｍ巾、高さ６０ｃｍの電熱５００Ｗの加熱乾燥機に生ゴミを容易に挿入し３時間で乾燥した。（対照例）図１の装置で無撹拌では１０時間を要した。
【実施例１２】径１０ｍｍ以下の葉付きの小枝を実施例１１同様に２４０℃、３時間脆化処理し容易に槌粉砕した。嵩比重０．１７が重量収率０．８４、嵩比重０．４２になった。実施例１１、実施例１２とも水耕栽培に使用できた。長時間と管理が難しい生化学行程を使用せずに燃料化、コンポスト化ができた。
【実施例１３】廃食品包装フイルム、プラスチック袋、農ビ、農ポリ、建材包装廃フイルム等は嵩ばるものであったが一端をクリップ留めし他端をクリップで回転しタオルを絞るように撚りをかけると容易に縄状に圧縮減容できた。農ビのような長尺もの、袋状のものは先端を掴み付近の部分を別の２本の棒又は絞りの間に挟みすり抜けるように滑らせながら回転しつつに引っ張り５分の１以下に減容できた。これを縛って更に実施例１以下の方法でそのまま加熱し又は圧縮しつつ１３０℃に加熱し２分の１以下即ち嵩比重０．４以下に固定又は減容成型できた。操作中の閉じ込め空気は錐等で手又は機械穿孔して逃がすのが適当である。
【００２７】
【効果】
選択又は組合せで従来より小型で、材料、場所を節約して、ゴミ、有機廃物、廃材等を発生源で低温低圧で品質劣化を防ぎ、排気を僅少にして殺菌減容し防臭除害処理を容易にした。また遷移温度領域での紙、布、木質の劣化処理で粉砕，書類、磁気ＩＣ等のカード、光、磁気ディスク、券、切符等の廃棄処理を容易にする。生化学を利用せずにコンポスト代替材料化した。これらにより難しかった消費末端での資源化、小口運搬頻度減、公共集積場所の貯蔵可能量、車両積載能力増、積替省略でゴミシステムのコスト、車渋滞、排気ガス、不法投棄、埋立、化学物質拡散問題解決に寄与する。水分が多い生ゴミ、バイオマスは廃熱、太陽熱で乾燥することによってそれらを低コストの装置、利便性機器で回収して熱媒体として働いていることになる。
【図面の簡単な説明】
【図１】圧縮加熱減容装置正面説明図
【図２】圧縮加熱減容装置平面図
【図３】圧縮加熱減容装置側面図
【図４】上方押出し型減容装置正面断面説明図
【図５】上蓋開閉錘付加圧加熱面吊上げ型減容装置正面断面図
【図６】上蓋開閉錘吊り上げ機構平面図
【図７】上蓋開閉錘吊り上げ機構正面断面図
【図８】上蓋開閉錘吊り上げ機構内蔵型正面断面説明図
【図９】蝶番型竪型圧縮機構説明図
【図１０】蝶番型圧縮機構竪型平面図又は横型側面視説明図
【図１１】蝶番型横型圧縮装置断面図
【図１２】横置円筒型圧縮加熱減容装置説明図
【図１３】横置半円筒型圧縮加熱減容装置説明図
【図１４】引張型加圧面移動ロープの角筒加圧室内配置例断面説明図
【図１５】引張型加圧面移動ロープの円筒加圧室内配置例断面説明図
【図１６】廃物処理排気の凝縮・脱臭フローシート
【図１７】蒲鉾型装置側面断面図
【図１８】回転加熱加圧面で圧縮成型物断面説明図
【図１９】同積層物説明図
【図２０】複数ガイド溝付竪型圧縮機構の説明平面図
【図２１】竪型真空吸引圧縮装置断面図
【図２２】竪型真空吸引圧縮装置累積圧縮説明図
【図２３】加圧面ガイド付竪型加熱圧縮装置正面断面図
【図２４】竪型圧縮機構の加圧面ガイド溝断面平面図
【図２５】生ゴミ、バイオマス乾燥又は低温炭化装置横断面
【図２６】生ゴミ、バイオマス乾燥又は低温炭化装置縦断面
【図２７】同筒型装置断面図
【図２８】加圧面付竪型加熱圧縮装置正面断面図
【図２９】針剣山とフィン加圧面縦断面図
【図３０】同針剣山とフィン加圧面平面図
【図３１】生ゴミ、紙片等乾燥又は低温炭化装置加熱面フィン−フィン型縦断面
【図３２】同装置加熱面側面断面図
【図３３】同装置波型加熱面縦断面
【図３４】同平面図
【図３５】圧縮用面駆動又は錘移動の巻き上げ軸駆動機構側面又は平面図。
【図３６】上下転倒型加熱圧縮装置側面断面図
【図３７】横転型加熱圧縮装置側面断面図。
【図３８】捩じり絞り型減容の説明図。
【符号の説明】
１　加熱加圧減容機、２　加圧加熱圧縮室、被処理物貯留室、３　ロール、
４　回転腕、ハンドル或いは動力伝達用歯車付きハンドル、５　取手、
６　滑車、ベアリング、７　錘、９　上ヒータ部、１１　上面加熱面、
１５　断熱材、１６　外壁、冷却面、熱交換面、１７　多孔板底、
１０、１９　温度制御用センサー又は過熱防止用電気接点、
１２　側壁、加熱面、保温加熱面、断熱面、
１３　網、格子製屑籠等の隔壁又は取出し用容器、１４　廃物又は被処理物、
１８　室底加熱面ヒータ部、２１、３０　成型物、２２　制御電源、
２５　支持具、３３　内挿した袋、袋網、２７　蓋、２６　ロープ、鎖、
３５　バネ、３９　熱反射板、４０　投入口、４２　軸、４４　補助板、
４３　中間歯車、逆転防止爪付歯車、４７　取り出し部開閉蓋、４８　凝縮器、
４９　脱臭器、６９　ヒーター、７０　熱回収管又は冷却フイン、
７３　排気、熱風入口、７４　排気、熱風通路、
７５、７６　熱遮蔽用有孔板又はフイルム、反射フイルム、７７、７８　穴、
７９　フィン又は充填物。
【図１】
2004050160.tif 000003
【図２】
2004050160.tif 000004
【図３】
2004050160.tif 000005
【図４】
2004050160.tif 000006
【図５】
2004050160.tif 000007
【図６】
2004050160.tif 000008
【図７】
2004050160.tif 000009
【図８】
2004050160.tif 000010
【図９】
2004050160.tif 000011
【図１０】
2004050160.tif 000012
【図１１】
2004050160.tif 000013
【図１２】
2004050160.tif 000014
【図１３】
2004050160.tif 000015
【図１４】
2004050160.tif 000016
【図１５】
2004050160.tif 000017
【図１６】
2004050160.tif 000018
【図１７】
2004050160.tif 000019
【図１８】
2004050160.tif 000020
【図１９】
2004050160.tif 000021
【図２０】
2004050160.tif 000022
【図２１】
2004050160.tif 000023
【図２２】
2004050160.tif 000024
【図２３】
2004050160.tif 000025
【図２４】
2004050160.tif 000026
【図２５】
2004050160.tif 000027
【図２６】
2004050160.tif 000028
【図２７】
2004050160.tif 000029
【図２８】
2004050160.tif 000030
【図２９】
2004050160.tif 000031
【図３０】
2004050160.tif 000032
【図３１】
2004050160.tif 000033
【図３２】
2004050160.tif 000034
【図３３】
2004050160.tif 000035
【図３４】
2004050160.tif 000036
【図３５】
2004050160.tif 000037
【図３６】
2004050160.tif 000038
【図３７】
2004050160.tif 000039
【図３８】
2004050160.tif 000040